(57)【特許請求の範囲】
【請求項１】
シューの下端部にフランジ付きのボルトを、シュー下端面にフランジが当接し、ボルトの先端が下方に向けて突出するように埋め込み、該ボルトにケーブル端子をナットで締め付けることにより、シューに対して下方からケーブルを接続するようにしたことを特徴とする絶縁トロリー用集電子。
【請求項２】
シューの下端部にフランジ付きのナットを、シュー下端面にフランジが当接し、ナットのネジ孔が下方に向けて開口するように埋め込み、該ナットにケーブルのボルト端子を締め付けることにより、シューに対して下方からケーブルを接続するようにしたことを特徴とする絶縁トロリー用集電子。
【発明の詳細な説明】
【０００１】
【発明の属する技術分野】
本発明は、クレーンや搬送台車等に電力を供給したり信号を伝送したりするための絶縁トロリーから電力や信号を受け取るための絶縁トロリー用集電子に関するものである。
【０００２】
【従来の技術】
図４は、従来の絶縁トロリー用集電子を示す図であり、 図５は、そのシューケース及びシューを示す図である。シューケース２０は、プラスチックで形成されており、その底部には、シュー２１の下縁部を弾性的に把持する溝が長手方向に設けられている。そして、その溝の中にシュー２１を押し込むことにより、図５（イ）に示すように、シューケース２０にシュー２１を固定している。また、シュー２１には、リードケーブル２２がネジ２３により締め付けられて電気的に接続されている。
【０００３】
そのようにシュー２１が固定されたシューケース２０は、支持部材２４に軸支され、支持部材２４は、平行リンクを構成する一対のアーム２５，２５に取り付けられている。そして、一対のアーム２５間にはコイルバネ２６が懸架されていて、それにより支持部材２４を上方に押し上げるようにしている。
【０００４】
シューは使っている間に摩耗する消耗品であり、定期的な交換を必要とする。その際の作業手順は、まず、指又はプライヤー等の工具でシュー２１の上部をつまみ、図５（ロ）に示すように、シューケース２０より上方へ引き上げる。そして、リードケーブル２２の端部をシュー２１に締め付けているネジ２３をドライバー等の工具を使ってゆるめて取り外す。その後、交換した新品のシューにリードケーブル２２をネジ止めし、そのシューをシューケース２０の取り付け溝に差し込んで作業は完了する。
【０００５】
なお、このような絶縁トロリー用集電子に関連する従来の文献としては、例えば、特開平5-95603号公報がある。
【０００６】
【発明が解決しようとする課題】
ところで、シューケース２０とシュー２１は、図６に示すように、絶縁カバー３１の開口部を下側長手方向に有する絶縁トロリーのトロリー導体３０に下側から押し付けられながら、絶縁トロリーに沿って走行する。その絶縁トロリーは、電源用の絶縁トロリーが例えば３相分で３本、そのほかに信号用の絶縁トロリーが何本か必要で、それら複数の絶縁トロリーが平行に布設され、しかも、設置スペースを節約するため、各絶縁トロリーの間隔は必要最小限に設定される。
【０００７】
そのため、集電子も図６に示すように、多数の集電子が狭い間隔で並設されることになり、シューの交換時には、ネジ２３を外す際に、ドライバー等の工具は、隣の集電子側から差し込むことになる。したがって、中央部の集電子のシューを交換する場合、手前側の集電子がじゃまになって工具を差し込みにくく作業効率が非常に悪いという問題点があった。
【０００８】
本発明は、そのような問題点に鑑み、多数の集電子が狭い間隔で並設される場合でも、シューの交換作業が容易になるようにすることを目的とするものである。
【０００９】
【課題を解決するための手段】
前記課題を解決するため、請求項１に記載の絶縁トロリー用集電子は、シューの下端部にフランジ付きのボルトを、シュー下端面にフランジが当接し、ボルトの先端が下方に向けて突出するように埋め込み、該ボルトにケーブル端子をナットで締め付けることにより、シューに対して下方からケーブルを接続するようにしたことを特徴とする。このようにすると、多数の集電子が狭い間隔で並設される場合でも、シューの交換時、集電子の下方から作業できるようになって、隣接集電子がじゃまにならなくなり、シューの交換作業が容易になる。
【００１０】
また、請求項２に記載の絶縁トロリー用集電子は、シューの下端部にフランジ付きのナットを、シュー下端面にフランジが当接し、ナットのネジ孔が下方に向けて開口するように埋め込み、該ナットにケーブルのボルト端子を締め付けることにより、シューに対して下方からケーブルを接続するようにしたことを特徴とする。このようにしても、多数の集電子が狭い間隔で並設される場合でも、シューの交換時、集電子の下方から作業できるようになって、隣接集電子がじゃまにならなくなり、シューの交換作業が容易になる。
【００１１】
【発明の実施の形態】
以下、本発明の実施の形態を図面に基づいて詳細に説明する。
図１は、本発明の第１実施形態を示す図である。シュー１は、銅，カーボンを主体とする焼結合金製であり、その下端部にボルト２の埋め込み部４を埋め込んでいる。シュー１にボルト２を埋め込むには、焼結前に型の所定位置に、ボルト先端が下方に向けて突出するように埋め込み部４を配置した状態で焼結材料を充填し焼結処理を行う。
【００１２】
焼結合金製のシュー１は、機械的強度が比較的弱く、圧縮，引っ張り，曲げなど規定以上の応力を加えると破損するので、ボルト２に加わる力が直接シュー１に加わらないようにするため、ボルト２には、シュー下端面に当接する位置にフランジ３が設けられている。フランジ３は、シュー１下端の成形面より側方に突出する大きさを有しており、ボルト２に加わる応力が分散され、一箇所に集中しないようにしている。
【００１３】
図２は、図１のシューをシューケースに取り付けた状態を示す図である。シュー１は、シューケース５の底部溝に弾性的に把持させることにより取り付けられている。そして、ボルト２に対応するシューケース５の底部位置には、ケーブル引き出し部６が形成されており、その中で、ボルト２の先端が下方に露出するようにしている。そして、下方からケーブル８の圧着端子９をボルト２に通し、ナット７で締め付けることにより電気的接続を行う。
【００１４】
シュー１を交換する場合、シューケース５の下側から工具を差し込んでナット７を外し、ボルト２からケーブル８の圧着端子９を取り外した後、古くなったシュー１を上側に引き出す。そして、新しいシュー１をシューケース５に嵌め込んだ後、シューケース５の下側からボルト２にケーブル８の圧着端子９を通し、工具でナット７を締め付ける。このようにすれば、シュー１へのケーブル８の接続、取り外し作業が集電子の下方からできるようになって、多数の集電子が狭い間隔で並設されていても、シュー１の交換が容易にできる。
【００１５】
図３は、本発明の第２実施形態を示す図である。この実施形態では、シュー１にナット１０を埋め込み、そのナット１０にケーブルに接続されたボルトをねじ込むようにしている。ナット１０をシュー１に埋め込むに当たって、シュー１に膨出部１２を設け、その内部にナット１０を埋め込むようにしている。さらに、ナット１０の下端には、第１実施形態のフランジ３と同様な機能を有するフランジ１１を設けている。このようにしても、第１実施形態と同様に、シュー１へのケーブル８の接続、取り外し作業が集電子の下方からできるようになる。
【００１６】
【発明の効果】
本発明は、以上説明したように構成されているので、次に記載するような効果を奏する。
すなわち、請求項１に記載の絶縁トロリー用集電子は、シューの下端部にフランジ付きのボルトを、シュー下端面にフランジが当接し、ボルトの先端が下方に向けて突出するように埋め込み、該ボルトにケーブル端子をナットで締め付けることにより、シューに対して下方からケーブルを接続するようにした。その結果、多数の集電子が狭い間隔で並設される場合でも、シューの交換時、集電子の下方から作業できるようになって、隣接集電子がじゃまにならなくなり、シューの交換作業が容易になる。
【００１７】
また、請求項２に記載の絶縁トロリー用集電子は、シューの下端部にフランジ付きのナットを、シュー下端面にフランジが当接し、ナットのネジ孔が下方に向けて開口するように埋め込み、該ナットにケーブルのボルト端子を締め付けることにより、シューに対して下方からケーブルを接続するようにした。その結果、多数の集電子が狭い間隔で並設される場合でも、シューの交換時、集電子の下方から作業できるようになって、隣接集電子がじゃまにならなくなり、シューの交換作業が容易になる。
【図面の簡単な説明】
【図１】本発明の第１実施形態を示す図である。
【図２】図１のシューをシューケースに取り付けた状態を示す図である。
【図３】本発明の第２実施形態を示す図である。
【図４】従来の絶縁トロリー用集電子を示す図である。
【図５】図４のもののシューケース及びシューを示す図である。
【図６】絶縁トロリーと集電子との関係を示す図である。
【符号の説明】
１…シュー
２…ボルト
３…フランジ
４…埋め込み部
５…シューケース
６…ケーブル引き出し部
７…ナット
８…ケーブル
９…圧着端子
１０…ナット
１１…フランジ
１２…膨出部
２０…シューケース
２１…シュー
【図１】
0004014921.tif 000002
【図２】
0004014921.tif 000003
【図３】
0004014921.tif 000004
【図４】
0004014921.tif 000005
【図５】
0004014921.tif 000006
【図６】
0004014921.tif 000007